(57)【特許請求の範囲】
【請求項１】
左右の前部脚間の間隔を左右の後部脚間の間隔より大として前部脚と後部脚とを脚フレームによりそれぞれ結合するとともに左右の脚フレームの後部間を横フレームにより結合し、前記横フレーム上の左右部には天板の後部下面を該天板の前部が上方へ押し上げられたとき天板を前方へ移行させるリンク機構により支持し、
前記リンク機構は、前記横フレームと天板の後部側下面とを連結する後部リンクメンバーと、このリンクメンバーより前部側に間隔をおいて位置され該後部リンクメンバーより所定寸法だけ長く前記横フレームと天板とを連結する前部リンクメンバーとで構成され、天板の前部が上方へ押し上げられることにより前記各リンクメンバーが起立して天板の重心が前方へ移行しつつ傾斜姿勢に変換されるようになされている
ことを特徴とするテーブル。
【請求項２】
前記横フレームと天板との間にガススプリングが連結され、このガススプリングのロックを解くことにより天板が傾斜姿勢に変換されるようになされている請求項１記載のテーブル。
【請求項３】
前記天板の前部下面にはロック用フックを有し、このフックを脚フレーム側のピンに係脱自在とし、天板を水平姿勢としたとき前記ロック用フックが前記ピンに係合して天板がロックされるようになされている請求項１〜２のいずれか１項記載のテーブル。
【請求項４】
前記リンク機構、ガススプリング、ロック用フックは、天板を水平姿勢としたとき天板下面の凹所内に格納されるようになされている請求項３記載のテーブル。
【発明の詳細な説明】
【０００１】
【発明の属する技術分野】
本発明はテーブルに係り、特に４本の脚を有するテーブルで不使用時にコンパクトな形態とし得て収納容積の減少を図るテーブルに関する。
【０００２】
【従来の技術】
従来から会議用、講習会用等のテーブルにおいて、不使用時にはコンパクトな形態として収納時の小容積化を図るようにしたテーブルが種々提供されている（例えば特開平１１−２６６９３２号公報、特開平１１−１８８４０号公報等）。
【０００３】
従来の上記テーブルは、テーブル脚を逆Ｔ字形とされ、左右１本ずつの脚杆の上端を支点として天板を水平状態から傾斜姿勢に転回させることにより投影面積が小さくなるようにし、脚を入り組ませて重ね合わせるように整列させることによって多数のテーブルを小容積で収納することができるようになされたものである。
【０００４】
【発明が解決しようとする課題】
しかるに上記従来のテーブル構造では、収納時に天板を略垂直状態に転回させるため天板の重心移動が大きく、そのため広い面積の天板を用いることができず、自ずと大きさに限界が生じて大型のテーブルには適用することが難かしかった。
【０００５】
さりとて４本脚のテーブルとすると、４本の脚を継ぐフレームが天板の下面に存在するため、天板の重心位置に変動を少なくして天板を傾倒させることは容易でなく、したがって４本脚の大型テーブルを小容積化して収納することができるようにしたものは未だ提供されていない現状にある。
【０００６】
本発明は上記の実情に鑑み、４本の脚を有するテーブルでありながら天板の重心位置の変動を可及的小としてコンパクトな形態に変換することを可能とするテーブルを提供することを課題としてなされたものである。
【０００７】
【課題を解決するための手段】
上記課題を解決する手段として本発明は、左右の前部脚間の間隔を左右の後部脚間の間隔より大として前部脚と後部脚とを脚フレームによりそれぞれ結合するとともに左右の脚フレームの後部間を横フレームにより結合し、前記横フレーム上の左右部には天板の後部下面を該天板の前部が上方へ押し上げられたとき天板を前方へ移行させるリンク機構により支持したことを特徴とする。
【０００８】
前記リンク機構は、前記横フレームと天板の後部側下面とを連結する後部リンクメンバーと、このリンクメンバーより前部側に間隔をおいて位置され該後部リンクメンバーより所定寸法だけ長く前記横フレームと天板とを連結する前部リンクメンバーとで構成するようにし、天板の前部が上方へ押し上げられることにより前記各リンクメンバーが起立して天板の重心が前方へ移行しつつ傾斜姿勢に変換されるようにすることが脚に対する重心位置の変動が少なく、安定性が高められる。
【０００９】
前記横フレームと天板との間にガススプリングを連結し、このガススプリングのロックを解くことにより天板が傾斜姿勢に変換されるようにすれば、重量の大きい大面積の天板であっても実施可能である。
【００１０】
前記天板の前部下面にロック用フックを設け、このフックを脚フレーム側のピンに係脱自在とし、天板を水平姿勢としたとき前記ロック用フックが前記ピンに係合して天板がロックされるようにすることが安全性を確保するうえにおいて望ましい。
【００１１】
さらに、前記リンク機構、ガススプリング、ロック用フックは、天板を水平姿勢としたとき天板下面の凹所内に格納されるようにすることが外観を損うことなくするうえで好ましい。
【００１２】
【発明の実施の形態】
以下、本発明を図面に示す実施の形態を参照して説明する。
【００１３】
図１、図２は本発明によるテーブル１の一実施形態の天板２を分離して示す斜視図であり、図１はテーブル１の使用時、図２は不使用時の状態を示している。
【００１４】
本発明におけるテーブル１の脚は、左右の前部脚３，３と左右の後部脚４，４とはその上端位置で脚フレーム５，５により強固に結合されており、前部脚３，３間の間隔は後部脚４，４間の間隔より大きくなるように前記脚フレーム５，５の後部間が２本の横フレーム６，７により強固に結合されていて、図３に示すように前部脚３，３間に他のテーブルの後部脚４，４が横フレーム７近くまで嵌合することができるよう構成されている。
【００１５】
前記横フレーム６，７の左右端近くの位置に設けられるリンク機構８，８により天板２が支持され、このリンク機構８，８は天板２の前部が上方へ押し上げられたとき該天板２を前方へ所定距離だけ進出するようになっている。
【００１６】
上記リンク機構８は、図４に分離斜視図を、図５（Ａ）に折り畳み状態を、図５（Ｂ）に伸展した状態をそれぞれ斜視図で示すように、前記横フレーム６，７に跨がってビス等により固着される断面上向きコ字状を有するベース９と、このベース９の後部の側壁９ａ，９ａ間に基端が軸１０により枢支された後部リンクメンバー１１と、前記ベース９の側壁９ａ，９ａの前部間に基端が軸１２により枢支され前記後部リンクメンバー１１より所定寸法だけ長い前部リンクメンバー１３と、前記天板２の下面にビス等により固着される断面下向きコ字状を有する天板取付板１４とで構成され、この天板取付板１４の後部の側壁１４ａ，１４ａ間に前記後部リンクメンバー１１の先端が軸１５により枢支され、天板取付板１４の前部寄りの側壁１４ａ，１４ａ間に前記前部リンクメンバー１３の先端が軸１６により枢支されている。
【００１７】
したがって上記リンク機構８によれば、図６に示すように後部リンクメンバー１１と前部リンクメンバー１３との各先端が天板取付板１４に枢支されている軸１５，１６の軸間部分Ａがテーブル使用時の折り畳み時に略水平位置にあったものが、天板２を起こしたときの伸展時には前記軸間部分Ａは上昇および前方へ移行してＡ′位置へ至り、その間に天板２は距離Ｌだけ前方へ進出することになる。これにより図７に示すように天板２を起こしたときその天板２の重心Ｇが前方へ移動してバランスを保つ。
【００１８】
図示の実施形態では、前記横フレーム６と天板２の下面との間にガススプリング１７が連結されており、このガススプリング１７のロックが解かれたとき、ガススプリング１７が伸長して天板２を傾斜姿勢に上昇させるようになっている。
【００１９】
前記天板２の前部２ａの下面には、図８、図９に示すように、天板２の下面に固設の軸受１８にロック用フック１９の上端がピン２０により枢支して設けられ、このロック用フック１９は前記脚フレーム５の側面に突設されたロック用のピン２１に係脱自在とされており、天板２の前部２ａ下面の前記軸受１８に枢支された操作レバー２２と前記ロック用フック１９とが連動部材２３により連結されていて、この操作レバー２２を手元で図示しないバネの付勢に抗して上方へ回動させることによりロック用フック１９がピン２１から外れ、天板２を水平姿勢に戻したときロック用フック１９がピン２１に自動的に係合されるようになっている。
【００２０】
前記天板２は図１０に示すように全体が偏平な箱構造とされており、その前部２ａ側の中央領域には抽出し２４，２４が設けられ、この抽出し２４，２４が納まる領域以外の下面は開放されていて凹部とされ、図８にみられるように天板２を水平姿勢にしたとき前記脚フレーム５、横フレーム６，７、リンク機構８、ガススプリング１７、ロック用フック１９、操作レバー２２等の内部機構はすべて天板２の周側面２ｂにより隠蔽され、外部からは見えない状態におかれるようになっている。
【００２１】
図において符号２５はキャスタ、２６は整列収納時に緩衝するため横フレーム７の側面に固着されたゴム等のストッパを示す。
【００２２】
次に上記実施形態の作用を説明する。
【００２３】
テーブル１の使用時には、図８に示すようにリンク機構８は折り畳まれていて天板２のロック用フック１９が脚フレーム５のピン２１に係合されており、これによりガススプリング１７は短縮状態におかれて通常のテーブル形態をなしている。そしてこれら内部機構は天板２の下面に隠蔽されていて、外部には天板２の周側面のみが表われている。
【００２４】
テーブル１を使用しないときに複数のテーブル１，１…をまとめて収納しておくときは、天板２の前部２ａ下面にある操作レバー２２を上方へ向けて押動させてロック用フック１９をピン２１から外すと、天板２はガススプリング１７の力により斜め前方へ押し上げられ、これによりリンク機構８の後部リンクメンバー１１および前部リンクメンバー１３は立ち上がるように回動し、これらリンクメンバー１１，１３の長さの違いから天板２は図９のように前部２ａが斜め上方を向くように傾斜姿勢におかれる。
【００２５】
このとき前述のように天板２は傾斜姿勢に変換しながら前方へ移行するので、重心Ｇの変動が少なく、脚に対して安定を保つ。
【００２６】
この状態としたのちテーブル１，１の脚を入り組ませて整列させれば、図１１、図１２に示すように前部脚３，３の間に次位のテーブル１の後部脚４，４が入り込んでスタックされ、天板２は傾斜姿勢におかれているので互に重なり合うようにおかれ、全体としてきわめて小容積として整列収納することができる。
【００２７】
上記の収納時の状態から再び使用状態に戻すには、天板２の前部２ａを下方に強く押し下げれば、ガススプリング１７が短縮されながら水平姿勢に変換され、その終端位置で天板２のロック用フック１９が脚フレーム５のピン２１に係合してロックされ、通常のテーブルの形態となる。
【００２８】
【発明の効果】
以上説明したように本発明によれば、テーブルの収納時に天板の前部を上昇させて傾斜姿勢とするとともに天板を前方へ進出させて重心位置の変動が少ない状態としてコンパクトな形態とするようにしたので、４本脚のテーブルでありながら小容積に収納することができ、かつ重心移動が少ないので安定した状態で収納することができる。
【図面の簡単な説明】
【図１】本発明によるテーブルの一実施形態の使用形態時における天板を分離して示す斜視図。
【図２】同、収納状態時における天板を分離して示す斜視図。
【図３】同、脚の入り組み状態を示す平面図。
【図４】同、リンク機構の分解斜視図。
【図５】リンク機構の動きを示すもので、（Ａ）は折り畳み時、（Ｂ）は起立時の斜視図。
【図６】リンク機構の作用説明図。
【図７】天板の重心位置を示す説明図。
【図８】テーブルの使用状態時における内部機構の状態を示す側面図。
【図９】テーブルの収納状態時における内部機構の状態を示す側面図。
【図１０】天板と内部機構との配置関係を示す平面図。
【図１１】複数のテーブルを整列収納時の形態を示す側面図。
【図１２】同、斜視図。
【符号の説明】
１  テーブル
２  天板
３  前部脚
４  後部脚
５  脚フレーム
６，７  横フレーム
８  リンク機構
９  ベース
１１  後部リンクメンバー
１３  前部リンクメンバー
１４  天板取付板
１７  ガススプリング
１９  ロック用フック
２１  ロック用ピン
２２  操作レバー
２４  抽出し
【図１】
0004578616.tif 000002
【図２】
0004578616.tif 000003
【図３】
0004578616.tif 000004
【図４】
0004578616.tif 000005
【図５】
0004578616.tif 000006
【図６】
0004578616.tif 000007
【図７】
0004578616.tif 000008
【図８】
0004578616.tif 000009
【図９】
0004578616.tif 000010
【図１０】
0004578616.tif 000011
【図１１】
0004578616.tif 000012
【図１２】
0004578616.tif 000013